(57)【要約】【課題】紐状芯材の周囲に飾り糸を巻き付けてなる巻編装飾物を簡単に作製し得る巻編器具を提供する。【解決手段】長尺方向に沿って紐状芯材Ｑを保持可能な巻棒２を、基台３上に横架して回転可能かつ脱着可能に保持するとともに、該巻棒２の端部に、巻棒２を回転操作するための回転操作部材４を配設する。かかる構成にあっては、回転操作部材４を操作することで基台３上で巻棒２を回転させることができ、かかる巻棒２の回転によって巻棒２に保持した紐状芯材Ｑの周囲に飾り糸Ｒを簡単に巻き付けることができる。そして、巻棒２を基台３から取り外せば、巻き付けた飾り糸Ｒを紐状芯材Ｑとともに巻棒２の端部から容易に抜き取ることができる。【選択図】図５
2011117103.tif 000002
【特許請求の範囲】
【請求項１】
紐状芯材の周囲に飾り糸を巻き付けてなる巻編装飾物を作製するための巻編器具であって、
長尺方向に沿って紐状芯材を保持可能に構成され、基台上に回転可能に且つ脱着可能に横架される巻棒を具備してなり、
該巻棒の一端部には、巻棒を回転操作するための回転操作部材が配設されており、紐状芯材を保持した巻棒を基台上で回転させて該巻棒に飾り糸を巻き取ることにより、紐状芯材の周囲に飾り糸を巻き付け、さらに、該巻棒を基台から取り外して、巻き取った飾り糸を紐状芯材とともに該巻棒の端部から抜き取り得るよう構成されていることを特徴とする巻編器具。
【請求項２】
前記巻棒の外周面には、紐状芯材を内嵌させる芯材保持溝が長尺方向に沿って形成されており、該芯材保持溝の両端部には、紐状芯材を係止する係止機構が配設されていることを特徴とする請求項１記載の巻編器具。
【請求項３】
前記係止機構の少なくとも一方は、芯材保持溝の端部に周設された一対の鍔状突部の間に形成される、紐状芯材を圧入して保持する環状の係止溝であることを特徴とする請求項２記載の巻編器具。
【請求項４】
前記回転操作部材は、巻棒の一端部に配設されて巻棒と一体となって回転する車輪状部材であって、該回転操作部材の外周上部を押圧して回転操作することで、基台上で巻棒を回転させるものであることを特徴とする請求項１乃至請求項３のいずれか１項に記載の巻編器具。
【発明の詳細な説明】
【技術分野】
【０００１】
本発明は、飾り糸を紐状芯材に巻き付けてなる巻編装飾物を作製するための巻編器具に関する。
【背景技術】
【０００２】
従来、手芸分野においては、紐状芯材に嵩高な飾り糸をらせん状に巻き付けて、ボリュームのある巻編装飾物を作製することが行われている。かかる巻編装飾物は、リング状にして首飾りや腕輪などに用いられることが多い。
【０００３】
特許文献１には、かかる巻編装飾物を作製するための従来の巻編器具が開示されている。かかる巻編器具は直管状の巻棒のみからなり、該巻棒を用いて巻編装飾物を以下のように作製する。すなわち、まず、紐状芯材を巻棒の中空部に挿通し、紐状芯材を巻棒の一端に係止する。次に、飾り糸の端部を巻棒に結びつけ、飾り糸を把持した手を巻棒の周りで回転させることによって飾り糸を巻棒にらせん状に巻き付けていく。そして、巻き付けた飾り糸を巻棒に沿ってずらしつつ飾り糸を巻棒に巻き続け、飾り糸を所要長さ巻き付けた段階で、紐状芯材を飾り糸とともに巻棒から抜き取れば巻編装飾物を得ることができる。
【先行技術文献】
【特許文献】
【０００４】
【特許文献１】実用新案登録第３１３９５１４号公報
【発明の概要】
【発明が解決しようとする課題】
【０００５】
本発明は、上記現状に鑑みて為されたものであり、上記特許文献１に記載された従来の巻編器具よりも、簡便に巻編装飾物を作製し得る巻編器具の提供を目的とする。
【課題を解決するための手段】
【０００６】
本発明は、紐状芯材の周囲に飾り糸を巻き付けてなる巻編装飾物を作製するための巻編器具であって、長尺方向に沿って紐状芯材を保持可能に構成され、基台上に回転可能に且つ脱着可能に横架される巻棒を具備してなり、該巻棒の一端部には、巻棒を回転操作するための回転操作部材が配設されており、紐状芯材を保持した巻棒を基台上で回転させて該巻棒に飾り糸を巻き取ることにより、紐状芯材の周囲に飾り糸を巻き付け、さらに、該巻棒を基台から取り外して、巻き取った飾り糸を紐状芯材とともに該巻棒の端部から抜き取り得るよう構成されていることを特徴とする巻編器具である。かかる巻編器具にあっては、回転操作部材によって基台上で巻棒を回転させることで、簡単に飾り糸を巻棒に巻き付けることができる。このため、本発明の巻編器具によれば、飾り糸を把持した手を巻棒の周りで回転させる従来の巻編器具に比べて、数倍の速さで巻編装飾物を作製可能となる。
【０００７】
本発明にあって、前記巻棒の外周面には、紐状芯材を内嵌させる芯材保持溝が長尺方向に沿って形成されており、該芯材保持溝の両端部には、紐状芯材を係止する係止機構が配設されている構成が提案される。かかる構成にあっては、紐状芯材を巻棒の外周面に保持可能となるため、管状巻棒の中空部に紐状芯材を挿通して保持する従来構成の芯材保持機構に比べて、紐状芯材の脱着が容易となる。
【０００８】
また、本発明にあって、前記係止機構の少なくとも一方は、芯材保持溝の端部に周設された一対の鍔状突部の間に形成される、紐状芯材を圧入して保持する環状の係止溝である構成が提案される。かかる係止溝によれば、巻棒の端縁でなく、巻棒の外周部に紐状芯材を簡単に係止可能となるから、紐状芯材を回転操作部材と干渉させることなく係止可能となる。
【０００９】
また、本発明にあって、前記回転操作部材は、巻棒の一端部に配設されて巻棒と一体となって回転する車輪状部材であって、該回転操作部材の外周上部を押圧して回転操作することで、基台上で巻棒を回転させるものである構成が提案される。かかる構成にあっては、指先や掌などで回転操作部材を回転操作した時に、回転操作部材を押圧する力で基台を下方に押さえつけることができ、これにより、基台が動かないように保持可能となる。すなわち、かかる構成とすれば、回転操作部材を操作する力を利用して基台を保持可能となるため、回転操作部材の操作時に基台を別途保持しなくても、円滑に巻棒を回転させることが可能となる。
【００１０】
本発明の巻編器具によれば、既存の巻編器具によって作製される巻編装飾物全般を作製できる。巻編装飾物の紐状芯材としては、可撓性を有する紐状体を広く用いることができ、その太さは特に限定されない。また、飾り糸としては、毛足の長い毛糸など、嵩高な手芸用の糸を広く用いることができる。
【発明の効果】
【００１１】
以上のように、従来の巻編器具では、飾り糸を巻棒に巻き付けるために飾り糸を把持した手を巻棒の周囲で回す作業が必要であったのに対して、本発明の巻編器具では、巻棒を基台上で回転させるだけで、飾り糸を巻棒に巻き付けることができる。このため、本発明によれば、従来の巻編器具よりも簡単かつ迅速に巻編装飾物を作製できる。また、従来の巻編器具では、一方の手に巻棒を把持し、他方の手に飾り糸を把持して作業を行うため、飾り糸を巻き付ける際に巻棒と飾り糸の位置が安定せず、飾り糸に撚りが生じやすく、巻編装飾物の出来栄えが不均一になり易い。これに対して、本発明の巻編器具は、基台上に横架した巻棒に飾り糸を巻き取るものであるため、飾り糸に撚りが生じ難く、巻編装飾物の出来栄えを安定させることができる。
【図面の簡単な説明】
【００１２】
【図１】巻編器具１の斜視図である。
【図２】巻棒２を基台３から取り外して示す巻編器具１の斜視図である。
【図３】中間省略して示す巻棒２の一側面図である。
【図４】（ａ）は、図３中のＡ−Ａ線断面図であり、（ｂ）は、図３中のＢ−Ｂ線断面図である。
【図５】巻編器具１の使用方法を示す説明図である。
【図６】図５から続く、巻編器具１の使用方法を示す説明図である。
【発明を実施するための形態】
【００１３】
本発明の実施形態を、以下の実施例に従って説明する。
本実施例の巻編器具１は、図１に示すように、左右に長尺な基台３の上に巻棒２を水平に横架し、自転自在に軸支してなるものである。また、巻棒２は、基台３に対して脱着可能となっており、図２に示すように、必要に応じて簡単に基台３から取り外すことができる。
【００１４】
巻棒２は、杆状の樹脂部材であり、図２〜４に示すように、その一端を、巻き付けた飾り糸Ｒを抜き取るための抜取端部１０とし、その他端を、回転操作するための操作端部１１としている。操作端部１１には、巻棒２よりも太径な車輪状の回転操作部材４が一体的に固着される。巻棒２は、図３，４に示すように、断面略円形をなしており、その外周部には、紐状芯材Ｑを内嵌させて保持するための芯材保持溝１２，１２が形成される。この芯材保持溝１２は、紐状芯材Ｑを溝外に突出させない程度の深さを有し、巻棒２の略全長に亘って形成されており、芯材保持溝１２に沿って紐状芯材Ｑを内嵌させることにより、紐状芯材Ｑを巻棒２の長尺方向に沿って保持できる。なお、芯材保持溝１２は、巻棒２の中心対称位置に一本ずつ形成されているが、かかる芯材保持溝１２は少なくとも１本設けられていれば足りる。
【００１５】
芯材保持溝１２の両端部には、図２〜４に示すように、芯材保持溝１２に保持された紐状芯材Ｑを芯材保持溝１２の端部で係止する係止機構１３，１４が設けられる。操作端部１１側の係止機構１３は、外周面に周設された二つの鍔状突部１５ａ，１５ｂの間に形成された環状の係止溝である。この係止溝１３は、巻棒２の全周に亘って形成され、中央寄りの鍔状突部１５ａに形成された切欠状の連通溝１６を介して芯材保持溝１２の端縁と連続している。そして、この係止溝１３は、深部ほど幅狭なテーパー状をなしており、芯材保持溝１２から紐状芯材Ｑを係止溝１３に導き入れ、係止溝１３の深部に圧入することで、紐状芯材Ｑを芯材保持溝１２の端部で係止可能となっている。
【００１６】
抜取端部１０側の係止機構１４は、巻棒２の端縁から、巻棒２の長尺方向に沿って形成された、巻棒２を径方向に縦断する亀裂状の係止溝である。この係止溝１４は、芯材保持溝１２の端縁と連続するとともに、深部ほど幅狭なテーパー状をなしており、芯材保持溝１２から紐状芯材Ｑを係止溝１４に導き入れ、係止溝１４の深部に圧入することで、紐状芯材Ｑを芯材保持溝１２の端部で係止可能となっている。
【００１７】
このように、巻棒２は、芯材保持溝１２と、該芯材保持溝１２の両端部に配設された係止溝１３，１４を備えており、図５（ａ）に示すように、紐状芯材Ｑを芯材保持溝１２に内嵌し、係止溝１３，１４によって芯材保持溝１２の両端部で係止することにより、巻棒２の外周部に、紐状芯材Ｑを長尺方向に沿って安定に保持可能となっている。
【００１８】
回転操作部材４は、図２〜４に示すように、車輪状をなす円柱形樹脂部材である。回転操作部材４は、その中心部を巻棒２の操作端部１１に外嵌固着させており、巻棒２を基台３に装着した状態（図１参照）で、回転操作部材４の外周上部を押圧して回転操作すると、巻棒２が回転操作部材４と一体となって基台３上で回転するよう構成されている。
【００１９】
基台３は、図１，２に示すように、左右に長尺で水平な上面を有している。この基台３の上面には、巻棒２を横架して回転可能に軸支する軸支部１９ａ，１９ｂが左右両側部に立設される。左側の軸支部１９ａは、巻棒２の抜取端部１０側を保持する貫通孔状の保持孔２０と、巻き取った飾り糸Ｒが紐状芯材Ｑから脱落しないように規制する仕切り板２１とを備えている。一方、右側の軸支部１９ｂは、巻棒２の操作端部１１側を保持する、上部が開放したＵ字状の保持溝２２を備えている。かかる基台３に巻棒２を装着する際には、巻棒２の抜取端部１０側を左側の軸支部１９ａの保持孔２０に挿入し、操作端部１１側を右側の軸支部１９ｂの保持溝２２に内嵌させるだけで、巻棒２を基台３上に水平に横架することができる。また、基台３から巻棒２を取り外す際には、操作端部１１側を保持溝２２から持ち上げて、抜取端部１０を保持孔２０から抜き取るだけで簡単に取り外すことができる。
【００２０】
以下に、本実施例の巻編器具１の使用例を説明する。
巻編器具１を用いて巻編装飾物Ｐを作製する際には、まず、図５（ａ）に示すように、基台３から取り外した巻棒２の芯材保持溝１２に紐状芯材Ｑを内嵌させる。そして、該紐状芯材Ｑを両端部の係止溝１３，１４に係止して、紐状芯材Ｑが芯材保持溝１２から脱落しないようにする。また、かかる作業とともに、飾り糸Ｒの端部を、抜取端部１０側の係止溝１３に係止する。なお、飾り糸Ｒの端部は抜取端部１０に結びつけるようにしてもよい。
【００２１】
紐状芯材Ｑと飾り糸Ｒを巻棒２に係止したら、図５（ｂ）に示すように、巻棒２を基台３に装着する。そして、図５（ｃ）に示すように、左手で飾り糸Ｒを手前側に保持するとともに、右手の指先を回転操作部材４の上部外周面に押し当てて、回転操作部材４を一方向（ここでは前方）に回転操作し、基台３上で巻棒２を回転させる。この時、巻棒２の回転に合わせて左手を右方向にスライドさせれば、左手に保持した飾り糸Ｒが巻棒２にらせん状に巻き取られ、これにより、飾り糸Ｒが紐状芯材Ｑの周囲に巻き付けられる。
【００２２】
このように、本実施例の巻編器具１によれば、片手に飾り糸Ｒを保持し、もう片方の手で回転操作部材４を操作することで、巻棒２に保持した紐状芯材Ｑに飾り糸Ｒを巻き付けることができる。そして、上記巻取作業によって、飾り糸Ｒを巻き取るスペースが少なくなった場合には、図６（ａ）に示すように、巻棒２に巻き付いた飾り糸Ｒを抜取端部１０側にずらす作業を行い、飾り糸Ｒを巻き取るスペースを確保して、上記巻取作業を再開する。
【００２３】
このように、本実施例の巻編器具１では、回転操作部材４で巻棒２を回転させて飾り糸Ｒを巻き取る作業と、巻き取った飾り糸Ｒをずらす作業とを繰り返すことで、飾り糸Ｒを巻棒２に巻き続けていく。そして、上記作業の結果、図６（ｂ）に示すように、飾り糸Ｒを所要の長さまで巻き付けたら、巻棒２を基台３から取り外す。そして、紐状芯材Ｑの係止を解除し、飾り糸Ｒの端部を紐状芯材Ｑに結びつけて、図６（ｃ）に示すように、飾り糸Ｒを紐状芯材Ｑとともに抜取端部１０から抜き取れば、巻編装飾物Ｐが得られる。こうして得られた巻編装飾物Ｐは、例えば、リング状にして首飾りや腕輪、髪留めなどとして使用できる。
【００２４】
このように、本実施例の巻編器具１にあっては、巻棒２が基台３に回転自在に保持されており、回転操作部材４を回転操作するだけで巻棒２をスムーズに回転させることができる。したがって、かかる巻編器具１によれば、紐状芯材Ｑを巻棒２に保持し、巻棒２を基台３上で回転させるだけで、簡単かつ迅速に飾り糸Ｒを紐状芯材Ｑに巻き付けることができる。また、巻棒２は基台３に脱着可能に保持されており、巻棒２を基台３から取り外せば、紐状芯材Ｑ及び飾り糸Ｒを巻棒２から簡単に抜き取ることができる。このため、本実施例の巻編器具１によれば、既存の巻編器具の数倍の速さで巻編装飾物Ｐを作製できる。
【００２５】
また、本実施例は、基台３に横架した巻棒２に飾り糸Ｒを巻き取らせる構成であり、上記巻取作業にあって、飾り糸Ｒを把持する手を大きく動かす必要がない。このため、本実施例の巻編器具１では、飾り糸を把持した手を巻棒の周囲で回転させることによって飾り糸を巻棒に巻回する従来構成に比べて、飾り糸に撚りが生じ難いという利点があり、歪みの少ない上質な巻編装飾物Ｐを得ることができる。
【００２６】
また、本実施例にあっては、紐状芯材Ｑを、巻棒２の外周面に形成した芯材保持溝１２に保持する構成であるため、管状巻棒の中空部に紐状芯材を挿通して保持する従来構成に比べて、紐状芯材Ｑの脱着を容易に行うことができる。特に、芯材保持溝１２の両端部に形成されるテーパー状の係止溝１３，１４に紐状芯材Ｑを圧入して係止する構成であるため、迅速かつ確実に巻棒２に紐状芯材Ｑを保持できるという利点がある。また、芯材保持溝１２の操作端部１１側の係止機構１３は、一対の鍔状突部１５ａ，１５ｂの間に形成された環状の係止溝であるから、回転操作部材４と干渉させることなく、紐状芯材Ｑを巻棒２の外周部で係止できるという利点がある。
【００２７】
また、本実施例にあっては、巻棒２の操作端部１１に車輪状の回転操作部材４が外嵌固定され、かかる回転操作部材４の外周上部に指や掌を押し当てて回転操作部材４を回転操作するよう構成されている（図５（ｃ）参照）。かかる構成では、回転操作部材４の操作時に、回転操作部材４の外周上部を押圧する力が基台３に伝わり、基台３が載置面に押し付けられるため、回転操作部材４を操作する力を利用して基台３が動かないように保持することができ、基台３を載置面に固定しなくても飾り糸Ｒを巻棒２に確実に巻き取ることができるという利点がある。上述のように、飾り糸Ｒを巻棒２に巻き取る際には、一方の手で回転操作部材４を操作し、他方の手で飾り糸Ｒを把持するため、基台３を手で直接押さえることは困難であるが、かかる構成では、回転操作部材４を操作する手で間接的に基台３を保持できるため、基台３を重い材料で構成したり、基台３に錘を付加したりして動き難くする必要がなく、基台３の製造コストを抑制可能となる。
【００２８】
なお、本発明の巻編器具は、上記実施例の形態に限らず本発明の要旨を逸脱しない範囲内において種々変更を加えることができる。例えば、上記実施例では、紐状芯材Ｑを巻棒２の芯材保持溝１２に保持し、巻棒２の両端部の係止溝１３，１４で係止するようにしているが、紐状芯材Ｑを巻棒２の両端に係止するための係止機構は、実施例の構成に限らず、既存の巻棒の係止機構を広く採用できる。また、本発明は、実施例のように紐状芯材Ｑを巻棒２の外周部に保持する構成に限らず、管状をなす巻棒の中空部に紐状芯材を保持する構成も採用できる。
【符号の説明】
【００２９】
１  巻編器具
２  巻棒
３  基台
４  回転操作部材
１０  抜取端部
１１  操作端部
１２  芯材保持溝
１３，１４  係止溝（係止機構）
１５ａ，１５ｂ  鍔状突部
１９ａ，１９ｂ  軸支部
Ｐ  巻編装飾物
Ｑ  紐状芯材
Ｒ  飾り糸
【図１】
2011117103.tif 000003
【図２】
2011117103.tif 000004
【図３】
2011117103.tif 000005
【図４】
2011117103.tif 000006
【図５】
2011117103.tif 000007
【図６】
2011117103.tif 000008